(57)【特許請求の範囲】
【請求項１】
時間系列内の各時間単位におけるエンティティ間の関係を示す時系列関係グラフに基づきエンティティを分類するエンティティ分類装置であって、
所定の期間内の各時系列関係グラフにおいて、ノードがエンティティを表し、ノード間のリンクが対応する時間単位におけるエンティティ関係を表し、
階層的分類方法を使用して、時間単位毎に時系列関係グラフ内のノードを分類し、時間系列の対応する時間単位毎にノードカテゴリ結果を生成する時系列関係グラフ分類部と、
前記時系列関係グラフ分類部によって生成された時間系列の対応する時間単位毎のすべてのノードカテゴリ結果を後処理して、最終的な分類済みノードを生成するカテゴリ結果後処理部と
を備えることを特徴とするエンティティ分類装置。
【請求項２】
入力された関係インスタンスを処理して、対応する時系列関係グラフを生成する時系列関係グラフ生成部をさらに備えることを特徴とする請求項１に記載のエンティティ分類装置。
【請求項３】
前記時系列関係グラフ生成部が、
関係インスタンスのスコアを計算し、時系列関係を取得する時系列関係生成手段と、
前記時系列関係生成手段によって生成されたエンティティ間の各種タイプの時系列関係を同期化して、各２つのエンティティにおける時系列包括的関係を取得する関係同期化手段と、
所定の期間の各時間単位内において１つの関係グラフを作成して、時系列関係グラフを形成する時系列関係グラフ作成手段と
を含むことを特徴とする請求項２に記載のエンティティ分類装置。
【請求項４】
前記関係同期化手段によって生成された２つのエンティティの間の前記時系列包括的関係は方向性がないことを特徴とする請求項３に記載のエンティティ分類装置。
【請求項５】
前記関係グラフが、前記時系列関係グラフ作成手段によって作成され、前記ノードはエンティティを表わし、前記ノード間のリンクは２つのエンティティ間の時系列包括的関係を表わし、各リンクの重みは２つのエンティティ間の時系列包括的関係のスコアを表わすことを特徴とする請求項３又は請求項４に記載のエンティティ分類装置。
【請求項６】
前記時系列関係グラフ生成手段は、各時間単位毎に重み付きの１つの無向グラフを生成することを特徴とする請求項３から請求項５の何れかに記載のエンティティ分類装置。
【請求項７】
前記カテゴリ結果後処理部が、
前記時系列関係グラフ分類手段によって生成された時間系列内の対応する時間単位毎にすべてのノードカテゴリ結果に含まれる各カテゴリをマッピングして、併合ノードカテゴリ構造を取得するカテゴリ結果マッピング手段と、
併合ノードカテゴリ構造の各カテゴリに関して、前記カテゴリ結果マッピング手段によって生成された併合ノードカテゴリ構造に基づいて、当該構造内での各ノードの出現回数と、各ノードと各ノードカテゴリ結果とのマッピング関係の出現回数とを計数するノード出現計数手段と、
前記ノード出現計数手段の計数結果に基づいて、各ノードを、併合ノードカテゴリ構造の対応するカテゴリに割り当てるノード分類手段と
を含むことを特徴とする請求項１に記載のエンティティ分類装置。
【請求項８】
前記カテゴリ結果マッピング手段が、Ｋｕｈｎ−Ｍｕｎｋｒｅｓアルゴリズムを利用してカテゴリのマッピングを行なうことを特徴とする請求項７に記載のエンティティ分類装置。
【請求項９】
前記カテゴリ結果後処理部が、さらに併合ノードカテゴリ結果を生成すると共に、
併合ノードカテゴリ結果に基づいて、エンティティ関係に対してイベント検出を実行し、イベント結果を出力するイベント検出部をさらに備えることを特徴とする請求項１から請求項８の何れかに記載のエンティティ分類装置。
【請求項１０】
前記イベント検出部が、
各時間単位毎にカテゴリについてすべてのエンティティおよび関係を分割し、所定のカテゴリ細分しきい値に従って、時間系列における対応する時間単位毎にノードカテゴリ結果を選択し、すべてのエンティティおよび関係をそれぞれのカテゴリに分類するために、選択したカテゴリ結果のカテゴリ毎に、時系列関係グラフにおけるすべてのノードおよびリンクを分類するカテゴリ分類手段と、
各時間単位内の各カテゴリ毎に、各エンティティの時系列エンティティ重要度を計算するエンティティ重要度計算手段と、
各時間単位内の各カテゴリ毎に、現在のカテゴリのエンティティと関係を選択し、時系列エンティティ重要度と同時にイベントを検知するイベント検出手段と
を含むことを特徴とする請求項９に記載のエンティティ分類装置。
【請求項１１】
前記エンティティ重要度計算手段は、Ｐａｇｅ  Ｒａｎｋ法あるいはＨＩＴＳアルゴリズムを利用することにより、前記エンティティ重要性を計算することを特徴とする請求項１０に記載のエンティティ分類装置。
【請求項１２】
前記イベント検出手段が、
前記カテゴリ分類手段によって生成された、時系列エンティティおよび時系列関係から指定されたカテゴリのエンティティおよび関係を選択するカテゴリ選択サブ手段と、
予め定義されたルール、前記カテゴリ選択サブ手段の選択結果、前記エンティティ重要度計算手段によって生成された各カテゴリ内の各エンティティの時系列エンティティ重要度に基づいて、予め定義されたルールと一致するイベントを検知して出力するルールベースイベント抽出サブ手段とを含むことを特徴とする請求項１０又は請求項１１に記載のエンティティ分類装置。
【請求項１３】
前記エンティティは企業であり、前記関係はビジネス関係であり、前記カテゴリは産業であることを特徴とする請求項１から請求項１２の何れかに記載のエンティティ分類装置。
【請求項１４】
時間系列内の各時間単位におけるエンティティ間の関係を示す時系列関係グラフに基づきエンティティを分類するエンティティ分類装置によるエンティティ分類方法であって、
所定の期間内の各時系列関係グラフにおいて、ノードがエンティティを表し、ノード間のリンクが対応する時間単位におけるエンティティ関係を表し、
時系列関係グラフ分類部が、エンティティ間の関係に基づく階層的分類方法を使用して、階層的分類方法を使用して、時間単位毎に時系列関係グラフ内のノードを分類し、時間系列の対応する時間単位毎にノードカテゴリ結果を生成する時系列関係グラフ分類ステップと、
カテゴリ結果後処理部が、時系列関係グラフ分類ステップで生成された時間系列の対応する時間単位毎のすべてのノードカテゴリ結果を後処理して、最終的な分類済みノードを生成するカテゴリ結果後処理ステップと
を含むことを特徴とするエンティティ分類方法。
【請求項１５】
時系列関係グラフ生成部が、入力された関係インスタンスを処理して、対応する時系列関係グラフを生成する時系列関係グラフ生成ステップをさらに含むことを特徴とする請求項１４に記載のエンティティ分類方法。
【請求項１６】
前記時系列関係グラフ生成ステップは、
前記時系列関係グラフ生成部が備える時系列関係生成手段が、関係インスタンスのスコアを計算し、時系列関係を取得する時系列関係生成サブステップと、
前記時系列関係グラフ生成部が備える関係同期化手段が、前記時系列関係生成サブステップで生成されたエンティティ間の各種タイプの時系列関係を同期化して、各２つのエンティティにおける時系列包括的関係を取得する関係同期化サブステップと、
前記時系列関係グラフ生成部が備える時系列関係グラフ作成手段が、所定の期間の各時間単位に関して１つの関係グラフを作成して、時系列関係グラフを形成する時系列関係グラフ作成サブステップと
を含むことを特徴とする請求項１５に記載のエンティティ分類方法。
【請求項１７】
前記関係同期化サブステップで生成された２つのエンティティの間の前記時系列包括的関係は方向性がないことを特徴とする請求項１６に記載のエンティティ分類方法。
【請求項１８】
前記関係グラフが、前記時系列関係グラフ作成手段によって作成され、前記ノードはエンティティを表わし、前記ノード間のリンクは２つのエンティティ間の時系列包括的関係を表わし、各リンクの重みは２つのエンティティ間の時系列包括的関係のスコアを表わすことを特徴とする請求項１６又は請求項１７に記載のエンティティ分類方法。
【請求項１９】
前記時系列関係グラフ生成ステップで、各時間単位毎に重み付きの１つの無向グラフを生成することを特徴とする請求項１６から請求項１８の何れかに記載のエンティティ分類方法。
【請求項２０】
前記カテゴリ結果後処理ステップは、
前記カテゴリ結果後処理部が備えるカテゴリ結果マッピング手段が、時系列関係グラフ分類ステップで生成された時間系列内の対応する時間単位毎にすべてのノードカテゴリ結果に含まれる各カテゴリをマッピングして、併合ノードカテゴリ構造を取得するカテゴリ結果マッピングサブステップと、
前記カテゴリ結果後処理部が備えるノード出現計数手段が、併合ノードカテゴリ構造の各カテゴリに関して、カテゴリ結果マッピングサブステップで生成された併合ノードカテゴリ構造に基づいて、当該構造内での各ノードの出現回数と、各ノードと各ノードカテゴリ結果とのマッピング関係の出現回数とを計数するノード出現計数サブステップと、
前記カテゴリ結果後処理部が備えるノード分類手段が、前記ノード出現計数サブステップでの計数結果に基づいて、各ノードを、併合ノードカテゴリ構造の対応するカテゴリに割り当てるノード分類サブステップと
を含むことを特徴とする請求項１４に記載のエンティティ分類方法。
【請求項２１】
前記カテゴリ結果マッピングサブステップで、Ｋｕｈｎ−Ｍｕｎｋｒｅｓアルゴリズムを利用してカテゴリのマッピングを行なうことを特徴とする請求項２０に記載のエンティティ分類方法。
【請求項２２】
カテゴリ結果後処理ステップで、併合ノードカテゴリ結果がさらに生成すると共に、
前記カテゴリ結果後処理部が備えるイベント検出部が、併合ノードカテゴリ結果に基づいて、エンティティ関係に対してイベント検出を実行し、イベント結果を出力するイベント検出ステップをさらに含むことを特徴とする請求項１４から請求項２１の何れかに記載のエンティティ分類方法。
【請求項２３】
前記イベント検出ステップが、
前記イベント検出部が備えるカテゴリ分類手段が、各時間単位毎にカテゴリについてすべてのエンティティおよび関係を分割し、所定のカテゴリ細分しきい値に従って、時間系列における対応する時間単位毎にノードカテゴリ結果を選択し、すべてのエンティティおよび関係をそれぞれのカテゴリに分類するために、選択したカテゴリ結果のカテゴリ毎に、時系列関係グラフにおけるすべてのノードおよびリンクを分類するカテゴリ分類サブステップと、
前記イベント検出部が備えるエンティティ重要度計算手段が、各時間単位内の各カテゴリ毎に、各エンティティの時系列エンティティ重要度を計算するエンティティ重要度計算サブステップと、
前記イベント検出部が備えるイベント検出手段が、各時間単位内の各カテゴリ毎に、現在のカテゴリのエンティティと関係を選択し、時系列エンティティ重要度と同時にイベントを検知するイベント検出サブステップと
を含むことを特徴とする請求項２２に記載のエンティティ分類方法。
【請求項２４】
前記エンティティ重要度計算サブステップで、Ｐａｇｅ  Ｒａｎｋ法あるいはＨＩＴＳアルゴリズムを利用することにより、前記エンティティ重要性を計算することを特徴とする請求項２３に記載のエンティティ分類方法。
【請求項２５】
前記イベント検出サブステップが、
前記イベント検出手段が備えるカテゴリ選択サブ手段が、前記カテゴリ分類手段によって生成された、時系列エンティティおよび時系列関係から指定されたカテゴリのエンティティおよび関係を選択するカテゴリ選択サブステップと、
前記イベント検出手段が備えるルールベースイベント抽出サブ手段が、予め定義されたルール、前記カテゴリ選択サブステップの選択結果、前記エンティティ重要度計算サブステップによって生成された各カテゴリ内の各エンティティの時系列エンティティ重要度に基づいて、予め定義されたルールと一致するイベントを検知して出力するルールベースイベント抽出サブステップとを含むことを特徴とする請求項２３又は請求項２４に記載のエンティティ分類方法。
【請求項２６】
前記エンティティは企業であり、前記関係はビジネス関係であり、前記カテゴリは産業であることを特徴とする請求項１４から請求項２５の何れかに記載のエンティティ分類方法。
【発明の詳細な説明】
【技術分野】
【０００１】
本発明は、データマイニング分野に関し、特に、時系列関係マイニングに関する。本発明によれば、時系列関係グラフに基づくエンティティ分類装置および方法が提供される。
【背景技術】
【０００２】
グローバル化の急速な進展に伴い、企業間で形成されるビジネス関係はかつてないほど複雑になっている。また、企業の成長速度もかつてないほどに高まっており、その過程においては、他企業とのビジネス関係が決定的な役割を果たしている。
【０００３】
一方、情報化の進展を背景に、インターネット等の媒体を介して膨大な量のビジネスニュースが発信されている。これらのビジネスニュースには企業間のビジネス関係に関する情報が多く含まれており、これまでに蓄積されてきたビジネスニュースには、あらゆる産業のビジネス関係情報がすべて網羅されていると言っても過言ではない。これらの情報は、ビジネス情報の時系列プロセスを形成する。ビジネスコンサルティング業の会社が、この時系列プロセスから情報を取得し、その情報から時系列ビジネス情報プロセスを構築して、企業コンサルタント等のユーザにとって有益な産業および下位産業区分の関係やそれに対応するビジネスイベントを抽出できれば、それはきわめて有望な技術となる。
【０００４】
ビジネス関係によって形成されるネットワークは、時間の経過に伴って変動する。変動するネットワークに関して時系列モデルが構築されると、その後には、このモデルから産業構造（構成産業数、各産業を構成する下位産業区分、および各産業と各下位産業区分の代表的な企業）をいかに特定するかという問題が生じる。
【０００５】
また、時系列関係グラフが与えられ、それをもとにビジネス関係を一般化して社会的関係などの一般的関係を得たい場合には、ノードが属するカテゴリを特定する方法、カテゴリをサブカテゴリに分割する方法、各カテゴリおよび各サブカテゴリの代表的な組織を特定する方法が問題となる。
【０００６】
既存の方法には、非特許文献１(Ｃ．Ｈ．Ｄｉｎｇ，Ｘ．Ｈｅ，Ｈ．Ｚｈａ，Ｍ．Ｇｕ，ａｎｄ  Ｈ．Ｄ．Ｓｉｍｏｎ，Ａ  ｍｉｎ−ｍａｘ  ｃｕｔ  ａｌｇｏｒｉｔｈｍ  ｆｏｒ  ｇｒａｐｈ  ｐａｒｔｉｔｉｏｎｉｎｇ  ａｎｄ  ｄａｔａ  ｃｌｕｓｔｅｒｉｎｇ（グラフパーティショニングおよびデータクラスタリングのためのｍｉｎ−ｍａｘ  ｃｕｔアルゴリズム），Ｐｒｏｃｅｅｄｉｎｇｓ  ｏｆ  ＩＥＥＥ  ＩＣＤＭ  ２００１，ｐｐ．１０７―１１４，２００１)や、非特許文献２(Ｊ．Ｓｈｉ  ａｎｄ  Ｊ．Ｍａｌｉｋ，Ｎｏｒｍａｌｉｚｅｄ  ｃｕｔ  ａｎｄ  ｉｍａｇｅ  ｓｅｇｍｅｎｔａｔｉｏｎ（ｎｏｒｍａｌｉｚｅｄ  ｃｕｔおよび画像分割），ＩＥＥＥ  Ｔｒａｎｓ．ｏｎ  Ｐａｔｔｅｒｎ  Ａｎａｌｙｓｉｓ  ａｎｄ  Ｍａｃｈｉｎｅ  Ｉｎｔｅｌｌｉｇｅｎｃｅ，２２（８）：８８８―９０５，Ａｕｇｕｓｔ  ２０００)などのような、結合グラフベースの関係を分類するための技術がある。しかし、これらの技術は単純グラフにしか適用できず、時間依存性のビジネス関係について作成されたグラフを分類する方法はない。
【０００７】
さらに、ビジネスイベントの検出においては、特許文献１(特願２００５―３５２８１７号)に開示されているような、時間系列に基づいて重要なノードを検出する技術がある。しかし、時系列グラフを産業別に分類した後にイベントを検出する技術はない。
【特許文献１】特願２００５―３５２８１７号
【特許文献２】米国特許出願第ＩＡ０７８６５０号
【非特許文献１】Ｃ．Ｈ．Ｄｉｎｇ，Ｘ．Ｈｅ，Ｈ．Ｚｈａ，Ｍ．Ｇｕ，ａｎｄ  Ｈ．Ｄ．Ｓｉｍｏｎ，Ａ  ｍｉｎ−ｍａｘ  ｃｕｔ  ａｌｇｏｒｉｔｈｍ  ｆｏｒ  ｇｒａｐｈ  ｐａｒｔｉｔｉｏｎｉｎｇ  ａｎｄ  ｄａｔａ  ｃｌｕｓｔｅｒｉｎｇ（グラフパーティショニングおよびデータクラスタリングのためのｍｉｎ−ｍａｘ  ｃｕｔアルゴリズム），Ｐｒｏｃｅｅｄｉｎｇｓ  ｏｆ  ＩＥＥＥ  ＩＣＤＭ  ２００１，ｐｐ．１０７―１１４，２００１
【非特許文献２】Ｊ．Ｓｈｉ  ａｎｄ  Ｊ．Ｍａｌｉｋ，Ｎｏｒｍａｌｉｚｅｄ  ｃｕｔ  ａｎｄ  ｉｍａｇｅ  ｓｅｇｍｅｎｔａｔｉｏｎ（ｎｏｒｍａｌｉｚｅｄ  ｃｕｔおよび画像分割），ＩＥＥＥ  Ｔｒａｎｓ．ｏｎ  Ｐａｔｔｅｒｎ  Ａｎａｌｙｓｉｓ  ａｎｄ  Ｍａｃｈｉｎｅ  Ｉｎｔｅｌｌｉｇｅｎｃｅ，２２（８）：８８８―９０５，Ａｕｇｕｓｔ  ２０００
【発明の開示】
【発明が解決しようとする課題】
【０００８】
上述したように、ビジネス関係によって形成されるネットワークは、時間の経過に伴って変動する。変動するネットワークに関して時系列モデルが構築されると、その後には、このモデルから産業構造（構成産業数、各産業を構成する下位産業区分、および各産業と各下位産業区分の代表的な企業）をいかに特定するかという問題が生じる。
【０００９】
また、時系列関係グラフが与えられ、それをもとにビジネス関係を一般化して社会的関係などの一般的関係を得たい場合には、ノードが属するカテゴリを特定する方法、カテゴリをサブカテゴリに分割する方法、各カテゴリおよび各サブカテゴリの代表的な組織を特定する方法が問題となる。
【００１０】
非特許文献１や非特許文献２などのような、結合グラフベースの関係を分類するための技術は、単純グラフにしか適用できず、時間依存性のビジネス関係について作成されたグラフを分類する方法は存在しない。
【００１１】
さらに、ビジネスイベントの検出においては、特許文献１に開示されているような、時間系列に基づいて重要なノードを検出する技術があるが、時系列グラフを産業別に分類した後にイベントを検出する技術は存在しない。
【課題を解決するための手段】
【００１２】
本発明は、時間依存関係に関する時系列関係グラフを作成し、この時系列関係グラフに対してグラフパーティションベースの分類を実行した後に、後処理を実行して、最終的に分類されたノードと対応する関係を取得する。
【００１３】
また、本発明をビジネス分野に適用した場合には、分類済みのノードと関係に基づいて、ビジネス分野の企業と関係がさらに産業別に分割され、これらの個別産業のビジネスイベントを検出することにより、ビジネスイベントが最終的に取得される。
【００１４】
本発明は、上記の目的を達成するために、所定の期間内の各時系列関係グラフにおいて、ノードがエンティティを表し、ノード間のリンクが対応する時間単位におけるエンティティ関係を表す、時系列関係グラフに基づくエンティティ分類装置を提供し、当該時系列関係グラフに基づくエンティティ分類装置は、各時系列関係グラフ内のノードを分類して、時間系列の対応する時間単位毎にノードカテゴリ結果を生成する時系列関係グラフ分類手段と、時系列関係グラフ分類手段によって生成された時間系列の対応する時間単位毎のすべてのノードカテゴリ結果を後処理して、最終的な分類済みノードを生成するカテゴリ結果後処理手段とを備える。
【００１５】
時系列関係グラフに基づくエンティティ分類装置は、入力された関係インスタンスを処理して、対応する時系列関係グラフを生成する時系列関係グラフ生成手段をさらに備えるのが望ましい。
【００１６】
時系列関係グラフ生成手段は、関係インスタンスのスコアを計算し、内部矛盾を解決し、欠落した時点に対して補間を実行して時系列関係を取得する時系列関係生成手段と、時系列関係生成手段によって生成されたエンティティ間の各種タイプの時系列関係を同期化して、各２つのエンティティにおける時系列包括的関係を取得する関係同期化手段と、所定の期間の各時間単位毎に１つの関係グラフを作成して、時系列関係グラフを形成する時系列関係グラフ作成手段とを備えるのが望ましい。
【００１７】
時系列関係グラフ分類手段は、階層的分類方法を使用して、各時間単位毎に時系列関係グラフ内のノードに対してカテゴリ化を行うのが望ましい。
【００１８】
カテゴリ結果後処理手段は、時系列関係グラフ分類手段によって生成された時間系列内の対応する時間単位毎のすべてのノードカテゴリ結果に含まれる各カテゴリをマッピングして、併合ノードカテゴリ構造を取得する、カテゴリ結果マッピング手段と、併合ノードカテゴリ構造の各カテゴリに関して、カテゴリ結果マッピング手段によって生成された併合ノードカテゴリ構造に基づいて、当該構造内での各ノードの出現回数と、各ノードと各ノードカテゴリ結果とのマッピング関係の出現回数とを計数する、ノード出現計数手段と、ノード出現計数手段の計数結果に基づいて、各ノードを、併合ノードカテゴリ構造の対応するカテゴリに割り当てる、ノード分類手段とを備えるのが望ましい。
【００１９】
カテゴリ結果後処理手段は併合ノードカテゴリ結果をさらに生成すると共に、時系列関係グラフに基づくエンティティ分類装置は、併合ノードカテゴリ結果に基づいて、エンティティ関係に対してイベント検出を実行し、イベント結果を出力する、イベント検出手段をさらに備えるのが望ましい。
【００２０】
エンティティは企業であり、関係はビジネス関係であり、カテゴリは産業であるのが望ましい。
【００２１】
本発明は、上記の目的を達成するために、ノードがエンティティを表し、ノード間のリンクが対応する時間単位におけるエンティティ関係を表す、所定の期間に関する各時系列関係グラフに基づくエンティティ分類方法を提供し、当該時系列関係グラフに基づくエンティティ分類方法は、各時系列関係グラフ内のノードを分類して、時間系列の対応する時間単位毎にノードカテゴリ結果を生成する時系列関係グラフ分類ステップと、時系列関係グラフ分類ステップで生成された時間系列の対応する時間単位毎のすべてのノードカテゴリ結果を後処理して、最終的な分類済みノードを生成するカテゴリ結果後処理ステップとを備える。
【００２２】
時系列関係グラフに基づくエンティティ分類方法は、入力された関係インスタンスを処理して、対応する時系列関係グラフを生成する時系列関係グラフ生成ステップをさらに備えるのが望ましい。
【００２３】
時系列関係グラフ生成ステップは、関係インスタンスのスコアを計算し、内部矛盾を解決し、欠落した時点に対して補間を実行して、時系列関係を取得する時系列関係生成サブステップと、時系列関係生成サブステップで生成されたエンティティ間の各種タイプの時系列関係を同期化して、各２つのエンティティにおける時系列包括的関係を取得する関係同期化サブステップと、所定の期間の各時間単位毎に１つの関係グラフを作成して、時系列関係グラフを形成する時系列関係グラフ作成サブステップとを備えるのが望ましい。
【００２４】
時系列関係グラフ分類ステップでは、階層的分類方法を使用して、各時間単位毎に時系列関係グラフ内のノードに対して分類（カテゴリ化）が実行されるのが望ましい。
【００２５】
カテゴリ結果後処理ステップは、時系列関係グラフ分類ステップで生成された時間系列内の対応する時間単位毎にすべてのノードカテゴリ結果に含まれる各カテゴリをマッピングして、併合ノードカテゴリ構造を取得する、カテゴリ結果マッピングサブステップと、併合ノードカテゴリ構造の各カテゴリに関して、カテゴリ結果マッピングサブステップで生成された併合ノードカテゴリ構造に基づいて、当該構造内での各ノードの出現回数と、各ノードと各ノードカテゴリ結果とのマッピング関係の出現回数とを計数する、ノード出現計数サブステップと、ノード出現計数サブステップでの計数結果に基づいて、各ノードを、併合ノードカテゴリ構造の対応するカテゴリに割り当てる、ノード分類サブステップとを備えるのが望ましい。
【００２６】
カテゴリ結果後処理ステップでは、併合ノードカテゴリ結果がさらに生成されると共に、時系列関係グラフに基づくエンティティ分類方法は、併合ノードカテゴリ結果に基づいて、エンティティ関係に対してイベント検出を実行し、イベント結果を出力する、イベント検出ステップをさらに備えるのが望ましい。
【００２７】
２８
エンティティは企業であり、関係はビジネス関係であり、カテゴリは産業であるのが望ましい。
【発明の効果】
【００２８】
本発明によれば、以下の技術的問題が効率的に解決される。
時間依存関係インスタンスから時系列関係を作成し、ノードを分類する問題。および、時系列ビジネス関係とその分類結果に基づいて、ビジネスイベント検出を実行する問題。
【発明を実施するための最良の形態】
【００２９】
以下では、図面を参照して、本発明の好適な実施例を説明する。本発明の理解に混乱をきたさないよう、本発明の説明には無用な詳細および機能については省略する。さらに、以下の説明では、エンティティの一例として企業、および関係の一例としてビジネス関係を用いて、本発明による時系列関係グラフに基づくエンティティ分類装置および方法を詳細に説明する。ただし、本発明のエンティティは企業に限定されず、自然人、国家、製品等のエンティティであってもよいことに留意されたい。同様に、本発明の関係はビジネス関係に限定されず、人間関係や国家間の関係のような他の社会的関係にも適用できる。
【００３０】
（システム概要）
図１は、本発明の第１の実施例による、時系列関係を分類および分析するシステムを示す全体ブロック図である。参照番号１は、入力された関係インスタンスを表す。時系列関係グラフ生成モジュール２は、入力された関係インスタンス１を処理して、対応する時系列関係グラフを生成する。時系列関係グラフ分類モジュール３は、時系列関係グラフ生成モジュール２によって生成された時系列関係グラフを分類して、時間系列の各時間単位に関するカテゴリ結果を生成する。カテゴリ結果後処理モジュール４は、時系列関係グラフ分類モジュール３によって生成されたカテゴリ結果を後処理して、時系列包括的カテゴリ結果を生成し、分類済みノードおよび関係を最終的に生成する。
【００３１】
（モジュールの詳細な説明）
関係インスタンス１は、２つのエンティティ間に関係があることを意味し、以下のデータ構造を有する。
【表１】
0005128437.tif 000002
【００３２】
例えば、ビジネス分野においては、エンティティは企業を表し、関係タイプには競争、協力、株式保有、供給、法人設立、買収などがある。以下の式では、関係インスタンスはRI(A,B,X,t’)を使用して表されている。これは、時点t’にエンティティＡとエンティティＢの間に関係インスタンスＸがあることを意味する。
【００３３】
図３に、時系列関係グラフ生成モジュール２のブロック図とデータフローチャートを示す。
【００３４】
具体的には、時系列関係生成手段２１は、関係インスタンスのスコアを計算し、内部矛盾を解決し、欠落した時点に対して補間を実行して、時系列関係を取得する。これらのステップは、米国特許出願明細書第ＩＡ０７８６５０号で説明されるビジネス関係マイニング機および方法などの既存の方法によって実装できる。ただし、ビジネス関係は本発明に関連する関係の一例にすぎず、本発明の範囲を限定することを意図するものではないことに留意されたい。最後に、様々なタイプのスコア付き時系列エンティティ関係が取得される。これはすなわち、所定の時間単位には、２つのエンティティ間にあるタイプの時系列関係とそのスコアが存在することを意味し、ここでのスコアとは、当該時間単位にこの関係が存在することに関する信頼度である。表２に、そのデータ構造の例を示す。
【表２】
0005128437.tif 000003
【００３５】
sA,B,X(t)は、時間単位ｔにおける、エンティティＡとエンティティＢ間のビジネス関係Ｘのスコアを表す。
【００３６】
例えば、図４および図６は、時系列関係生成手段２１によって生成された詳細な時系列関係を示し、このうち図４は時点t1における詳細な関係を示し、図６は時点t2における詳細な関係を示す。具体的には、図４には、時点t1にエンティティＡとエンティティＢ間に「協力」と「競争」の関係があり、時点t1にエンティティＡとエンティティＣ間に「協力」と「競争」の関係があり、時点t1にエンティティＡとエンティティＤ間に「競争」の関係があり、時点t1にエンティティＢとエンティティＤ間に「競争」の関係があり、時点t1にエンティティＣとエンティティＤ間に「競争」の関係があることが示されている。また、図６には、時点t2にエンティティＡとエンティティＢ間に「協力」と「競争」の関係があり、時点t2にエンティティＡとエンティティＣ間に「競争」の関係があり、時点t2にエンティティＡとエンティティＤ間に「競争」の関係があり、時点t2にエンティティＢとエンティティＤ間に「競争」の関係があり、時点t2にエンティティＣとエンティティＤ間に「協力」と「競争」の関係があることが示されている。．
【００３７】
関係同期化手段２２は、様々なタイプの時系列エンティティ関係を同期化して、各２つのエンティティ間の時系列包括的関係を取得する。sA,B(t)は、２つのエンティティ間の包括的関係を表すために使用される。この包括的関係に方向性はないため、sA,B(t)=
sB,A(t)となる。例えば、企業間の包括的関係は、企業間の交流の親密度を表す。２つの企業間の親密度が高いほど、同じ産業または下位産業区分に属する可能性が高くなる。包括的関係は、いくつかの加算方法または加重加算方法を用いて、様々なタイプの関係を累計することによって計算することができる。計算式は以下のとおりである。
【数１】
0005128437.tif 000004
ここで、fX()は関係Ｘに対応する任意の単調増加関数もしくは単調減少関数であり、g()は最終スコアを標準化または正規化するための任意の単調増加関数である。
【００３８】
上記の関数の例を以下に示す。
【数２】
0005128437.tif 000005
ここで、w(X)は個々の関係の重みである。この重みは経験値とするか、または統計的手法によって得ることができる。統計的手法の例としては、１つの関係が発生する確率を計算し、それを重みとして使用する方法が挙げられる。
【００３９】
以下に、もう一つの例を示す。
【数３】
0005128437.tif 000006
【００４０】
時系列関係グラフ作成手段２３は、時間系列内の各時間単位に関する関係グラフを作成する。グラフのノードはエンティティであり、ノード間のリンクは各２つのエンティティ間の時系列包括的関係を表し、個々のリンクの重みは各２つのエンティティ間の時系列包括的関係のスコアである。そのためここでは、各時間単位に対して、重み付きの無向グラフが生成される。
図５および図７に、関係同期化手段２２と時系列関係グラフ作成手段２３によって生成された時系列関係グラフを示す。このうち、図５は時点t1における包括的関係グラフを示し、図７は時点t2における包括的関係グラフを示す。
【００４１】
時系列関係グラフ分類モジュール３は、階層的分類方法を使用して、各時間単位に関する時系列関係グラフ内のノードに対してカテゴリ化（分類）を実行する。ここでは、例えば、既存のグラフベースの分類方法を用いて、各時間単位のグラフに対してグラフ２分割ベースのカテゴリ化を実行してもよい。既存の方法には、参考文献１、非特許文献１（Ｃ．Ｈ．Ｄｉｎｇ，Ｘ．Ｈｅ，Ｈ．Ｚｈａ，Ｍ．Ｇｕ，ａｎｄ  Ｈ．Ｄ．Ｓｉｍｏｎ，Ａ  ｍｉｎ−ｍａｘ  ｃｕｔ  ａｌｇｏｒｉｔｈｍ  ｆｏｒ  ｇｒａｐｈ  ｐａｒｔｉｔｉｏｎｉｎｇ  ａｎｄ  ｄａｔａ  ｃｌｕｓｔｅｒｉｎｇ（グラフパーティショニングおよびデータクラスタリングのためのｍｉｎ−ｍａｘ  ｃｕｔアルゴリズム），Ｐｒｏｃｅｅｄｉｎｇｓ  ｏｆ  ＩＥＥＥ  ＩＣＤＭ  ２００１，ｐｐ．１０７―１１４，２００１）や、参考文献２、非特許文献２（Ｊ．Ｓｈｉ  ａｎｄ  Ｊ．Ｍａｌｉｋ，Ｎｏｒｍａｌｉｚｅｄ  ｃｕｔ  ａｎｄ  ｉｍａｇｅ  ｓｅｇｍｅｎｔａｔｉｏｎ（ｎｏｒｍａｌｉｚｅｄ  ｃｕｔおよび画像分割），ＩＥＥＥ  Ｔｒａｎｓ．ｏｎ  Ｐａｔｔｅｒｎ  Ａｎａｌｙｓｉｓ  ａｎｄ  Ｍａｃｈｉｎｅ  Ｉｎｔｅｌｌｉｇｅｎｃｅ，２２（８）：８８８―９０５，Ａｕｇｕｓｔ  ２０００）などがある。カテゴリ結果は、複数階層から成る２分割構造である。図８に、カテゴリ結果の例を示す。
【００４２】
図８のカテゴリ結果では、最も精細なカテゴリ結果は４つのカテゴリから成る。すなわち、ＡとＢとＣは１つのカテゴリに属し、ＤとＥはもう１つのカテゴリに属し、ＦとＧはそれぞれさらに別のカテゴリに属している。上位階層のカテゴリ結果は３つのカテゴリから成る。すなわち、ＡとＢとＣは１つのカテゴリに属し、ＤとＥとＦはもう１つのカテゴリに属し、Ｇはさらに別のカテゴリに属している。例えば、ビジネス関係に関して言えば、より精細なカテゴリは下位産業区分を表し、上位階層のカテゴリは産業を表す。
【００４３】
図９および図１０はそれぞれ、図５に対応する時点t1のカテゴリ結果と、図７に対応する時点t2のカテゴリ結果とを示す。具体的には、図９には、時点t1において、エンティティＡ、Ｂ、Ｃはサブカテゴリ２に属し、エンティティＤはサブカテゴリ３に属し、エンティティＡ〜Ｄはすべてカテゴリ１に属することが示されている。一方、図９では、時点t2において、エンティティＡ、Ｂはサブカテゴリ２に属し、エンティティＣ、Ｄはサブカテゴリ３に属し、エンティティＡ〜Ｄはすべてカテゴリ１に属することが示されている。
【００４４】
カテゴリ結果後処理モジュール４は、時系列関係グラフ分類モジュール３によって生成された時系列カテゴリ結果を後処理する。この後処理では、所定期間内のすべての時間単位を対象にカテゴリ結果が包括的に処理され、所定の期間に関するカテゴリ結果が取得される。
【００４５】
図１１に、カテゴリ結果後処理モジュール４を示すブロック図およびデータフローチャートを示す。
【００４６】
所定期間内の１つの時間単位は図３に示すようなカテゴリ結果を有するので、全体では計ｎ個のカテゴリ結果が存在する。カテゴリ結果後処理モジュール４は、これらｎ個のカテゴリ結果を併合して、１つの包括的カテゴリ結果を取得する。
【００４７】
カテゴリ結果マッピング手段４１は、Ｋｕｈｎ−Ｍｕｎｋｒｅｓアルゴリズム（Ｌ．Ｌｏｖａｓｚ  ａｎｄ  Ｍ．Ｐｌｕｍｍｅｒ，Ｍａｔｃｈｉｎｇ  Ｔｈｅｏｒｙ（照合理論））などを使用して、ｎ個のカテゴリグラフの各カテゴリをマッピングし、ｎ個のグラフを併合したカテゴリ構造を最終的に取得する。
【００４８】
ノード出現計数手段４２は、カテゴリ結果マッピング手段４１によって生成されたカテゴリ構造に基づいて、併合カテゴリ構造内での各ノードの出現回数と、各ノードと各カテゴリグラフとのマッピング関係の出現回数とを計数する。
【００４９】
ノード分類手段４３は、ノード出現計数手段４２の計数結果に基づいて、各ノードを、併合カテゴリ構造の対応するカテゴリに割り当てる。
【００５０】
図１２に、図９および図１０に対応する併合後の包括的カテゴリ結果を示す。図１２を参照すると、併合後の包括的カテゴリ結果は、t1+t2の期間中には、エンティティＡ、Ｂがサブカテゴリ２−１に属し、エンティティＣがサブカテゴリ２−２に属し、エンティティＡ、Ｂ、Ｃはすべてサブカテゴリ２に属すること、エンティティＤはサブカテゴリ３に属すること、そして、エンティティＡ〜Ｄはすべてカテゴリ１に属することが示されている。
【００５１】
(ビジネス関係の分類と分析)
図２は、時系列ビジネス関係を分類および分析するシステムを示す全体ブロック図である。図２には、本発明がビジネス関係に適用された場合の例が示されている。図２のシステムは、図１に示す時系列関係を分類および分析するための一般的なシステムと比較すると、ビジネス関係の分類および分析にのみ適用される点が異なる。モジュール１〜４は図１と同一なので、煩雑化を避けるため説明を省略する。参照番号６は、カテゴリ結果に基づいて時系列ビジネス関係に対してビジネスイベント検出を実行し、最終的にビジネスイベント結果７を出力する、産業ベースのビジネスイベント検出モジュールを表す。
【００５２】
ビジネスイベント７とは、ユーザまたは他企業にとって発見的な意味を有する、産業分析の観点から抽出される高レベルなイベントを意味する。例えば、１９９８年１月〜２００１年１月にＡ社は産業の中核的な企業であったことや、１９９９年１月〜２０００年１月にＢ社は急成長したことは、これらのイベントに該当する。
【００５３】
図１３は、産業ベースのビジネスイベント検出サブモジュール６を示すブロック図およびデータフローチャートである。
【００５４】
産業分類手段６１は、すべての関係およびノードを時間単位ごとに産業について分割し、産業細分分割しきい値に従って時系列カテゴリ結果を選択し、時系列関係グラフ内のすべてのノードとリンクをカテゴリ（各産業）ごとに分類することにより、すべての企業とビジネス関係を個々の産業に分類する。
【００５５】
企業重要度計算手段６２は、各時間単位内の各産業を対象に、その産業の各企業の重要度を計算する。この計算は、Ｐａｇｅ  Ｒａｎｋ法やＨＩＴＳアルゴリズムのような既存のアルゴリズムや、その他の適用可能な方法を使用して実行することができる。
【００５６】
ビジネスイベント検出手段６３は、各時間単位内の各産業を対象に、その産業の企業とビジネス関係のみを選択し、ビジネスイベントと企業重要度を同時に検出する。
【００５７】
図１４に、ビジネスイベント検出手段６３を示すブロック図およびデータフローチャートを示す。ビジネスイベント検出手段６３への入力には、産業分類手段６１によって生成された時系列企業産業カテゴリおよび時系列企業ビジネス関係カテゴリ、企業重要度計算手段６２によって生成された各産業における時系列企業ビジネス重要度などが含まれる。産業選択サブ手段６３１は、産業分類手段６１によって生成された時系列企業産業カテゴリと時系列企業ビジネス関係カテゴリから、指定された産業の企業とビジネス関係を選択する。ルールベースイベント抽出サブ手段６３３は、予め定義されたルール６３２に従ってすべての入力データを検出し、ルールに一致するビジネスイベントを出力する。予め定義されたルール６３２は、手動で予め定義されたしてもよい。予め定義されたルール６３２の例としては、次のようなものが挙げられる。
【００５８】
sA(t)は、時間ｔにおける、ある産業に属するＡ社の重要度を表すために使用される。
【００５９】
・ある産業に属するＡ社のビジネス重要度が
【数４】
0005128437.tif 000007
の場合には、Ａ社はt0〜t1の期間中においてその産業の主要企業であると判断できる。
【００６０】
・ある産業に属するＡ社について、
【数５】
0005128437.tif 000008
が成り立つ場合には、Ａ社はt0〜t1の期間中に急速に成長したと判断できる。
【００６１】
・ある産業に属するＡ社について、
【数６】
0005128437.tif 000009
が成り立つ場合には、Ａ社はt0〜t1の期間中に何らかの問題を抱えていると判断できる。
【００６２】
・ある産業に属するＡ社およびＢ社について、
【数７】
0005128437.tif 000010
が成り立つ場合には、Ａ社とＢ社の関係はt0〜t1の期間中に急速に進展したと判断できる。
【００６３】
・ある産業に属するＡ社およびＢ社について、
【数８】
0005128437.tif 000011
が成り立つ場合には、Ａ社とＢ社の関係はt0〜t1の期間中に悪化したと判断できる。
【００６４】
以上、本発明についてその好適な実施例を参照して説明してきたが、本発明には、その精神と範囲から逸脱することなく、様々な変更、置換、追加を行うことが可能なことは当業者には明らかであろう。したがって、本発明の範囲は上記の実施例に限定されず、付記した請求項によってのみ定義される。
【００６５】
（付録）
＊米国特許出願明細書第ＩＡ０７８６５０号の関連の内容（当該出願明細書の図３およびその説明。参照番号を区別するため、番号に（”）を付加する）
【００６６】
時系列企業関係抽出サブモジュール２２”
図１５は、時系列企業関係抽出サブモジュール２２”を示すブロック図およびデータフローチャートである。
【００６７】
企業ビジネス関係インスタンス強さ計算手段２２１”は、各企業ビジネス関係インスタンスRI(A,B,X,t’)に基づいて、ある時間単位ｔにおけるＡ、Ｂ、Ｘの企業ビジネス関係の強さSI(A,B,X,t)を計算する。
【００６８】
企業ビジネス関係インスタンスＡ、Ｂ、Ｘは、この時間単位ｔの間に複数回発生する可能性もある。例えば、このインスタンスが異なるニュースサイトで取り上げられたり、ｔの間に複数回指摘されたりする場合がこれに該当する。時間単位ｔにおける企業ビジネス関係インスタンス数は、Ctを使用して表す。したがって、SI(A,B,X,t)は以下の式で計算できる。
【数９】
0005128437.tif 000012
ここで、niは対応するｉ番目のインスタンス、ms(ni)はこのインスタンスのニュースの照合スコアである。また、「強さ」とは、時間単位ｔにおける全インスタンスのスコアの合計である。
【００６９】
時系列補間手段２２２”は、最終的には、所定の期間内におけるすべての継続的な企業間関係がスコアを有するように、所定の期間内に企業ビジネス関係インスタンスが発生しなかった企業関係のスコアを補間により計算する。継続的な企業関係とは、関係が１度限りのイベント的な関係ではなく、一定期間にわたって継続することを意味する。例えば、競争、協力、株式保有、供給はすべて継続的なビジネス関係である。例えば、２０００年６月にはＡ社とＢ社の間に競争関係がなく、この関係が２０００年１月より前に発生したような場合には、この関係の直前のスコアを使用して、２０００年６月のスコアが補間により計算される。以下に、補間の実行方法の例を示す。
【００７０】
ここで、２企業間の関係RIが、最初にt0に発生し、最後にtmに発生すると想定する。
【００７１】
tｎにおける企業関係の強さを計算するため、tｎの直前に発生したインスタンスがtkに発生し、tｎの直後に発生したインスタンスがtlに発生すると想定する。
【数１０】
0005128437.tif 000013
【００７２】
上記の例では、関係のスコアは時間の経過に伴って幾何級数的に減少または増大するが、当該技術に精通する当業者にはよく知られているように、この変動は、一定期間における線形の減少または増大となる可能性が高い。
【００７３】
イベント的ビジネス関係／矛盾処理手段２２３”は、イベント的なビジネス関係を処理する。イベント的なビジネス関係とは、継続的なビジネス関係ではない、１度限りのイベントを意味する。例えば、法人設立と買収はイベント的なビジネス関係であり、競争、協力、株式保有、供給はすべて継続的なビジネス関係である。このプロセスは、関係自体のスコアの処理と、矛盾の処理と、影響を受ける他の関係の処理とで構成される。以下に、この処理方法の例を示す。
【００７４】
最初に、矛盾の問題を取り上げる。矛盾の解決手法は以下のとおりである。
【００７５】
時間矛盾処理：イベント的な関係は、理論的には１度だけ発生するはずである。しかし、インターネット上の情報は完全に信頼できるものではないため、矛盾が生じる可能性がある。矛盾がある場合、すなわちRI(A,B,X,t1)とRI(A,B,X,t2)(t1
<t2)が同時に発生した場合には、調整後の企業関係の強さは以下のようになる。
sA,B,X(t1)=siA,B,X(t1)+siA,B,X(t2)
sA,B,X(t2)=0
【００７６】
方向矛盾処理：方向矛盾処理は、買収のような方向性のあるイベント的関係を処理する。このような関係においては、２企業間の正しい方向は１つしか存在しない。RI(A,B,X,t1)とRI(A,B,X,t2)(t1<t2)が同時に存在しており、以下が成り立つ場合には、
【数１１】
0005128437.tif 000014
次のような式となる。
sA,B,X(t1)=sA,B,X(t1)
sA,B,X(t2)=0
成り立たない場合には、次のような式となる。
sA,B,X(t1)=0
sA,B,X(t2)=sA,B,X(t2)
【００７７】
次に、他のビジネス関係への影響が処理される。Ｘが法人設立または買収の関係で、かつ、sA,B,X(t1)>TH（THは予め決定されたしきい値）の場合には、Ａ社とＢ社はt1後に新設合併により１つの会社になるため、Ａ社とＢ社の間で維持される継続的な関係はない。法人設立後、Ａ社（またはＢ社）と他企業との間における関係スコアは以下のように調整される。
sA’,C,X(t)=sA,C,X(t)+sB,C,X(t)
【００７８】
上記の処理が完了した後、イベント的ビジネス関係／矛盾処理手段２２３”は時系列スコア化企業ビジネス関係３２”を出力する。
【００７９】
時系列包括的企業ビジネス関係スコア計算手段２２４”は、２企業間の時系列包括的ビジネス関係スコアと平均総ビジネス関係スコアを計算する。（米国特許出願明細書第ＩＡ０７８６４９号の発明においては、時系列包括的ビジネス関係スコアを計算する必要はなく、時系列包括的エンティティ関係の計算は、関係同期化手段２２によって実行される）。具体的には、これらの関係スコアの加重平均が計算され、以下の式で表される時系列包括的ビジネス関係スコアが取得される。
sA,B(t)=Σw(X)・sA,B,X(t)
ここで、w(X)は個々の関係の重みである。この重みは経験値とするか、または統計的手法によって得ることができる。統計的手法の例としては、１つの関係が１つの業界で発生する確率を計算し、それを重みとして使用する方法が挙げられる。この場合は、その後、総ビジネス関係スコアが、一定期間における平均として算出される。時系列包括的企業ビジネス関係スコア計算手段２２４”は、上記の処理の後、時系列包括的企業ビジネス関係スコア３３”を出力する。
【図面の簡単な説明】
【００８０】
本発明の上記およびその他の目的、特徴、および利点は、図面を参照しながら、その好適な実施例について述べた以下の説明を読むことにより、さらに明らかになるであろう。
【００８１】
【図１】時系列関係を分類および分析するシステムを示す全体ブロック図である。
【図２】時系列ビジネス関係を分類および分析するシステムを示す全体ブロック図である。
【図３】時系列関係グラフ生成モジュール２を示すブロック図およびデータフローチャートである。
【図４】処理中に時系列関係生成手段２１によって生成された、詳細な時系列関係および時系列包括的関係グラフ（以下、時系列包括的関係グラフを「時系列関係グラフ」という）を示し、このうち、図４および図５はそれぞれ、時点t1における詳細な時系列関係と包括的関係グラフとを示し、
【図５】処理中に時系列関係生成手段２１によって生成された、詳細な時系列関係および時系列包括的関係グラフ（以下、時系列包括的関係グラフを「時系列関係グラフ」という）を示し、このうち、図４および図５はそれぞれ、時点t1における詳細な時系列関係と包括的関係グラフとを示し、
【図６】処理中に時系列関係生成手段２１によって生成された、詳細な時系列関係および時系列包括的関係グラフ（以下、時系列包括的関係グラフを「時系列関係グラフ」という）を示し、このうち、図６および図７はそれぞれ、時点t2における詳細な時系列関係と包括的関係グラフとを示す。
【図７】処理中に時系列関係生成手段２１によって生成された、詳細な時系列関係および時系列包括的関係グラフ（以下、時系列包括的関係グラフを「時系列関係グラフ」という）を示し、このうち、図６および図７はそれぞれ、時点t2における詳細な時系列関係と包括的関係グラフとを示す。
【図８】カテゴリ結果の例を示す。
【図９】図５に対応する時点t1のカテゴリ結果と、図７に対応する時点t2のカテゴリ結果とを示す。
【図１０】図５に対応する時点t1のカテゴリ結果と、図７に対応する時点t2のカテゴリ結果とを示す。
【図１１】カテゴリ後処理モジュール４を示すブロック図およびデータフローチャートである。
【図１２】図９および図１０に対応する併合カテゴリ結果を示す。
【図１３】産業ベースのビジネスイベント検出モジュール６を示すブロック図およびデータフローチャートである。
【図１４】ビジネスイベント検出手段６３を示すブロック図およびデータフローチャートである。
【図１５】特許文献２（米国特許出願第ＩＡ０７８６５０号）の図３の時系列企業関係抽出サブモジュール２２”を示すブロック図およびデータフローチャートである。
【符号の説明】
【００８２】
１：関係インスタンス
２：時系列関係グラフの生成
３：時系列関係グラフのカテゴリ化
４：カテゴリ結果の後処理
５：分類済みノードと全関係
６：産業ベースのビジネスイベントの検出
７：ビジネスイベント
６３１：産業の選択
６３２：予め定義されたルール
６３３：ルールベースイベントの抽出
２２”：入力：企業ビジネス関係インスタンス
２２１”：企業ビジネス関係インスタンス強さの計算
２２２”：時系列補間
２２３”：イベント的ビジネス関係／矛盾処理
２２４”：時系列包括的企業ビジネス関係スコアの計算
【図１】
0005128437.tif 000015
【図２】
0005128437.tif 000016
【図３】
0005128437.tif 000017
【図４】
0005128437.tif 000018
【図５】
0005128437.tif 000019
【図６】
0005128437.tif 000020
【図７】
0005128437.tif 000021
【図８】
0005128437.tif 000022
【図９】
0005128437.tif 000023
【図１０】
0005128437.tif 000024
【図１１】
0005128437.tif 000025
【図１２】
0005128437.tif 000026
【図１３】
0005128437.tif 000027
【図１４】
0005128437.tif 000028
【図１５】
0005128437.tif 000029